(57)【要約】【課題】光スキャナーを用いてＯＣＴ計測を行うための新たな技術を提供する。【解決手段】眼科装置は、データ取得部と、記憶部と、補正部とを含む。データ取得部は、所定の偏向角度範囲で光を偏向可能な光スキャナーを含み、光スキャナーにより所定の偏向方向に偏向される測定光を用いて被検眼に対して光コヒーレンストモグラフィを実行することによりＡスキャン方向の第１データセット群を取得する。記憶部は、光スキャナーの動作特性に対応した補正データを記憶する。補正部は、記憶部に記憶された補正データに基づいて第１データセット群の少なくとも一部を補正することにより第２データセット群を生成する。【選択図】図３
2020048772.tif 000002
【特許請求の範囲】
【請求項１】
所定の偏向角度範囲で光を偏向可能な光スキャナーを含み、前記光スキャナーにより所定の偏向方向に偏向される測定光を用いて被検眼に対して光コヒーレンストモグラフィを実行することによりＡスキャン方向の第１データセット群を取得するデータ取得部と、
前記光スキャナーの動作特性に対応した補正データを記憶する記憶部と、
前記記憶部に記憶された補正データに基づいて前記第１データセット群の少なくとも一部を補正することにより第２データセット群を生成する補正部と、
を含む眼科装置。
【請求項２】
前記補正部は、前記第１データセット群が前記光スキャナーにより前記偏向角度範囲において略等間隔の偏向角度で偏向された測定光に基づいて取得されたデータセット群になるように、前記第１データセット群のうち前記偏向角度範囲の少なくとも一部の範囲に対応する１以上のデータセットを前記補正データに基づいて補正する
ことを特徴とする請求項１に記載の眼科装置。
【請求項３】
前記光スキャナーは、前記測定光を反射するミラーを含み、前記ミラーを前記偏向方向に対応する揺動方向に往復的に揺動することにより前記偏向角度範囲で前記測定光を偏向し、
前記偏向角度範囲の少なくとも一部の範囲は、前記揺動方向への前記ミラーの揺動を開始する第１偏向角度又は前記揺動方向への前記ミラーの揺動を終了する第２偏向角度を含む
ことを特徴とする請求項２に記載の眼科装置。
【請求項４】
前記補正部は、前記第１データセット群の少なくとも一部から１以上のデータセットを抽出する抽出部を含み、前記第１データセット群の少なくとも一部を前記１以上のデータセットに置き換える
ことを特徴とする請求項１〜請求項３のいずれか一項に記載の眼科装置。
【請求項５】
前記補正部は、前記第１データセット群の少なくとも一部を補間して補間データセットを算出する補間部を含み、前記第１データセット群の少なくとも一部を前記補間部により算出された補間データセットに置き換える
ことを特徴とする請求項１〜請求項３のいずれか一項に記載の眼科装置。
【請求項６】
前記補正部は、
前記第１データセット群の少なくとも一部をＡスキャン方向に位置合わせする位置合わせ部と、
前記位置合わせ部により位置合わせが行われた前記第１データセット群の少なくとも一部を補間して補間データセットを算出する補間部と、
を含み、
前記第１データセット群の少なくとも一部を前記補間部により算出された補間データセットに置き換える
ことを特徴とする請求項１〜請求項３のいずれか一項に記載の眼科装置。
【請求項７】
前記補正部は、前記第１データセット群に新たなデータセットを追加する
ことを特徴とする請求項１〜請求項３のいずれか一項に記載の眼科装置。
【請求項８】
前記新たなデータセットは、前記第１データセット群の少なくとも一部に基づいて生成される
ことを特徴とする請求項７に記載の眼科装置。
【請求項９】
前記光スキャナーは、
前記測定光を第１偏向方向に第１偏向角度範囲で偏向する第１スキャナーと、
前記第１スキャナーにより偏向された前記測定光を第２偏向方向に第２偏向角度範囲で前記被検眼に向けて偏向する第２スキャナーと、
を含み、
前記補正部は、前記第１スキャナーの動作特性に対応した第１補正データに基づく前記第１データセット群の少なくとも一部に対する補正処理、及び前記第２スキャナーの動作特性に対応した第２補正データに基づく前記第１データセット群の少なくとも一部に対する補正処理のいずれかを切り替えて実行可能である
ことを特徴とする請求項１〜請求項８のいずれか一項に記載の眼科装置。
【請求項１０】
前記記憶部は、前記光スキャナーの偏向角度範囲及び偏向速度の少なくとも１つが異なる複数のスキャン条件に対応した複数の補正データを記憶し、
前記補正部は、前記スキャン条件に対応して前記記憶部に記憶された補正データに基づいて前記第１データセット群の少なくとも一部を補正する
ことを特徴とする請求項１〜請求項９のいずれか一項に記載の眼科装置。
【請求項１１】
前記補正部により生成された前記第２データセット群に基づいて前記被検眼の断層像を形成する画像形成部を含む
ことを特徴とする請求項１〜請求項１０のいずれか一項に記載の眼科装置。
【請求項１２】
所定の偏向角度範囲で光を偏向可能な光スキャナーを含む眼科装置の制御方法であって、
前記光スキャナーにより所定の偏向方向に偏向される測定光を用いて被検眼に対して光コヒーレンストモグラフィを実行することによりＡスキャン方向の第１データセット群を取得するデータ取得ステップと、
前記光スキャナーの動作特性に対応した補正データに基づいて前記第１データセット群の少なくとも一部を補正することにより第２データセット群を生成する補正ステップと、
を含む眼科装置の制御方法。
【請求項１３】
前記補正ステップは、前記第１データセット群が前記光スキャナーにより前記偏向角度範囲において略等間隔の偏向角度で偏向された測定光に基づいて取得されたデータセット群になるように、前記第１データセット群のうち前記偏向角度範囲の少なくとも一部の範囲に対応する１以上のデータセットを前記補正データに基づいて補正する
ことを特徴とする請求項１２に記載の眼科装置の制御方法。
【請求項１４】
前記光スキャナーは、前記測定光を反射するミラーを含み、前記ミラーを前記偏向方向に対応する揺動方向に往復的に揺動することにより前記偏向角度範囲で前記測定光を偏向し、
前記偏向角度範囲の少なくとも一部の範囲は、前記揺動方向への前記ミラーの揺動を開始する第１偏向角度又は前記揺動方向への前記ミラーの揺動を終了する第２偏向角度を含む
ことを特徴とする請求項１３に記載の眼科装置の制御方法。
【請求項１５】
前記光スキャナーは、
前記測定光を第１偏向方向に第１偏向角度範囲で偏向する第１スキャナーと、
前記第１スキャナーにより偏向された前記測定光を第２偏向方向に第２偏向角度範囲で前記被検眼に向けて偏向する第２スキャナーと、
を含み、
前記補正ステップは、前記第１スキャナーの動作特性に対応した第１補正データに基づく前記第１データセット群の少なくとも一部に対する補正処理、及び前記第２スキャナーの動作特性に対応した第２補正データに基づく前記第１データセット群の少なくとも一部に対する補正処理のいずれかを切り替えて実行可能である
ことを特徴とする請求項１２〜請求項１４のいずれか一項に記載の眼科装置の制御方法。
【請求項１６】
前記補正ステップにおいて生成された前記第２データセット群に基づいて前記被検眼の断層像を形成する画像形成ステップを含む
ことを特徴とする請求項１２〜請求項１５のいずれか一項に記載の眼科装置の制御方法。
【発明の詳細な説明】
【技術分野】
【０００１】
この発明は、眼科装置、及びその制御方法に関する。
【背景技術】
【０００２】
近年、レーザー光源等からの光ビームを用いて被測定物体の形態を測定したり画像化したりする光コヒーレンストモグラフィ（Ｏｐｔｉｃａｌ  Ｃｏｈｅｒｅｎｃｅ  Ｔｏｍｏｇｒａｐｈｙ：ＯＣＴ）が注目を集めている。ＯＣＴは、Ｘ線ＣＴ（Ｃｏｍｐｕｔｅｄ  Ｔｏｍｏｇｒａｐｈｙ）のような人体に対する侵襲性を持たないことから、特に医療分野や生物学分野における応用の展開が期待されている。例えば、眼科分野においては、眼底や角膜等の画像を形成する装置が実用化されている。このようなＯＣＴを用いた装置（ＯＣＴ装置）は被検眼の様々な部位（眼底や前眼部）の観察に適用可能である。また、高精細な画像を取得できることから、様々な眼科疾患の診断に応用されている。
【０００３】
ＯＣＴを用いた計測（撮影）では、光スキャナーにより偏向された測定光を用いて計測部位に対してスキャンが実行される。例えば、特許文献１には、ガルバノスキャナーの移動指令値に対して常時補正計算を実施することにより、走査軌跡の直線性を担保する手法が開示されている。
【先行技術文献】
【特許文献】
【０００４】
【特許文献１】特開２０１１−１７０２０９号公報
【発明の概要】
【発明が解決しようとする課題】
【０００５】
ＯＣＴを用いた計測では、より広角で、より高精細な計測結果を取得することが求められる。従って、光スキャナーには、より広い偏向角度範囲で、より高速に動作することが求められる。しかしながら、ガルバノスキャナー等の光スキャナーは、高速動作に追従することが難しい。
【０００６】
このように、光スキャナーの動作特性によってＯＣＴ計測において所望の計測結果を取得することが制限される。
【０００７】
本発明は、このような事情を鑑みてなされたものであり、その目的は、光スキャナーを用いてＯＣＴ計測を行うための新たな技術を提供することにある。
【課題を解決するための手段】
【０００８】
いくつかの実施形態の第１態様は、所定の偏向角度範囲で光を偏向可能な光スキャナーを含み、前記光スキャナーにより所定の偏向方向に偏向される測定光を用いて被検眼に対して光コヒーレンストモグラフィを実行することによりＡスキャン方向の第１データセット群を取得するデータ取得部と、前記光スキャナーの動作特性に対応した補正データを記憶する記憶部と、前記記憶部に記憶された補正データに基づいて前記第１データセット群の少なくとも一部を補正することにより第２データセット群を生成する補正部と、を含む眼科装置である。
【０００９】
いくつかの実施形態の第２態様では、第１態様において、前記補正部は、前記第１データセット群が前記光スキャナーにより前記偏向角度範囲において略等間隔の偏向角度で偏向された測定光に基づいて取得されたデータセット群になるように、前記第１データセット群のうち前記偏向角度範囲の少なくとも一部の範囲に対応する１以上のデータセットを前記補正データに基づいて補正する。
【００１０】
いくつかの実施形態の第３態様では、第２態様において、前記光スキャナーは、前記測定光を反射するミラーを含み、前記ミラーを前記偏向方向に対応する揺動方向に往復的に揺動することにより前記偏向角度範囲で前記測定光を偏向し、前記偏向角度範囲の少なくとも一部の範囲は、前記揺動方向への前記ミラーの揺動を開始する第１偏向角度又は前記揺動方向への前記ミラーの揺動を終了する第２偏向角度を含む。
【００１１】
いくつかの実施形態の第４態様では、第１態様〜第３態様のいずれかにおいて、前記補正部は、前記第１データセット群の少なくとも一部から１以上のデータセットを抽出する抽出部を含み、前記第１データセット群の少なくとも一部を前記１以上のデータセットに置き換える。
【００１２】
いくつかの実施形態の第５態様では、第１態様〜第３態様のいずれかにおいて、前記補正部は、前記第１データセット群の少なくとも一部を補間して補間データセットを算出する補間部を含み、前記第１データセット群の少なくとも一部を前記補間部により算出された補間データセットに置き換える。
【００１３】
いくつかの実施形態の第６態様では、第１態様〜第３態様のいずれかにおいて、前記補正部は、前記第１データセット群の少なくとも一部をＡスキャン方向に位置合わせする位置合わせ部と、前記位置合わせ部により位置合わせが行われた前記第１データセット群の少なくとも一部を補間して補間データセットを算出する補間部と、を含み、前記第１データセット群の少なくとも一部を前記補間部により算出された補間データセットに置き換える。
【００１４】
いくつかの実施形態の第７態様では、第１態様〜第３態様のいずれかにおいて、前記補正部は、前記第１データセット群に新たなデータセットを追加する。
【００１５】
いくつかの実施形態の第８態様では、第７態様において、前記新たなデータセットは、前記第１データセット群の少なくとも一部に基づいて生成される。
【００１６】
いくつかの実施形態の第９態様では、第１態様〜第８態様のいずれかにおいて、前記光スキャナーは、前記測定光を第１偏向方向に第１偏向角度範囲で偏向する第１スキャナーと、前記第１スキャナーにより偏向された前記測定光を第２偏向方向に第２偏向角度範囲で前記被検眼に向けて偏向する第２スキャナーと、を含み、前記補正部は、前記第１スキャナーの動作特性に対応した第１補正データに基づく前記第１データセット群の少なくとも一部に対する補正処理、及び前記第２スキャナーの動作特性に対応した第２補正データに基づく前記第１データセット群の少なくとも一部に対する補正処理のいずれかを切り替えて実行可能である。
【００１７】
いくつかの実施形態の第１０態様では、第１態様〜第９態様のいずれかにおいて、前記記憶部は、前記光スキャナーの偏向角度範囲及び偏向速度の少なくとも１つが異なる複数のスキャン条件に対応した複数の補正データを記憶し、前記補正部は、前記スキャン条件に対応して前記記憶部に記憶された補正データに基づいて前記第１データセット群の少なくとも一部を補正する。
【００１８】
いくつかの実施形態の第１１態様は、第１態様〜第１０態様のいずれかにおいて、前記補正部により生成された前記第２データセット群に基づいて前記被検眼の断層像を形成する画像形成部を含む。
【００１９】
いくつかの実施形態の第１２態様は、所定の偏向角度範囲で光を偏向可能な光スキャナーを含む眼科装置の制御方法である。眼科装置の制御方法は、前記光スキャナーにより所定の偏向方向に偏向される測定光を用いて被検眼に対して光コヒーレンストモグラフィを実行することによりＡスキャン方向の第１データセット群を取得するデータ取得ステップと、前記光スキャナーの動作特性に対応した補正データに基づいて前記第１データセット群の少なくとも一部を補正することにより第２データセット群を生成する補正ステップと、を含む。
【００２０】
いくつかの実施形態の第１３態様では、第１２態様において、前記補正ステップは、前記第１データセット群が前記光スキャナーにより前記偏向角度範囲において略等間隔の偏向角度で偏向された測定光に基づいて取得されたデータセット群になるように、前記第１データセット群のうち前記偏向角度範囲の少なくとも一部の範囲に対応する１以上のデータセットを前記補正データに基づいて補正する。
【００２１】
いくつかの実施形態の第１４態様では、第１３態様において、前記光スキャナーは、前記測定光を反射するミラーを含み、前記ミラーを前記偏向方向に対応する揺動方向に往復的に揺動することにより前記偏向角度範囲で前記測定光を偏向し、前記偏向角度範囲の少なくとも一部の範囲は、前記揺動方向への前記ミラーの揺動を開始する第１偏向角度又は前記揺動方向への前記ミラーの揺動を終了する第２偏向角度を含む。
【００２２】
いくつかの実施形態の第１５態様では、第１２態様〜第１４態様のいずれかにおいて、前記光スキャナーは、前記測定光を第１偏向方向に第１偏向角度範囲で偏向する第１スキャナーと、前記第１スキャナーにより偏向された前記測定光を第２偏向方向に第２偏向角度範囲で前記被検眼に向けて偏向する第２スキャナーと、を含み、前記補正ステップは、前記第１スキャナーの動作特性に対応した第１補正データに基づく前記第１データセット群の少なくとも一部に対する補正処理、及び前記第２スキャナーの動作特性に対応した第２補正データに基づく前記第１データセット群の少なくとも一部に対する補正処理のいずれかを切り替えて実行可能である。
【００２３】
いくつかの実施形態の第１６態様は、第１２態様〜第１５態様のいずれかにおいて、前記補正ステップにおいて生成された前記第２データセット群に基づいて前記被検眼の断層像を形成する画像形成ステップを含む。
【００２４】
なお、上記した複数の請求項に係る構成を任意に組み合わせることが可能である。
【発明の効果】
【００２５】
本発明によれば、光スキャナーを用いてＯＣＴ計測を行うための新たな技術を提供することができる。
【図面の簡単な説明】
【００２６】
【図１】実施形態に係る眼科装置の構成の一例を表す概略図である。
【図２】実施形態に係る眼科装置の構成の一例を表す概略図である。
【図３】実施形態に係る眼科装置の構成の一例を表す概略ブロック図である。
【図４】実施形態に係る光スキャナーの動作特性の一例を示す概略図である。
【図５】実施形態に係る眼科装置が実行する処理を説明するための概略図である。
【図６】実施形態に係る眼科装置が実行する処理を説明するための概略図である。
【図７】実施形態に係る眼科装置の構成の一例を表す概略図である。
【図８】実施形態に係る眼科装置が実行する処理を説明するための概略図である。
【図９】実施形態に係る眼科装置の構成の一例を表す概略図である。
【図１０】実施形態に係る眼科装置が実行する処理を説明するための概略図である。
【図１１】実施形態に係る眼科装置の構成の一例を表す概略図である。
【図１２】実施形態に係る眼科装置が実行する処理を説明するための概略図である。
【図１３】実施形態に係る眼科装置の構成の一例を表す概略図である。
【図１４】実施形態に係る眼科装置が実行する処理を説明するための概略図である。
【図１５】実施形態に係る眼科装置の動作例を表すフローチャートである。
【図１６】実施形態に係る眼科装置の動作例を表すフローチャートである。
【図１７】実施形態の変形例に係る眼科装置の構成の一例を表す概略ブロック図である。
【発明を実施するための形態】
【００２７】
この発明に係る眼科装置、及び眼科装置の制御方法の実施形態の例について、図面を参照しながら詳細に説明する。なお、この明細書において引用された文献の記載内容や任意の公知技術を、以下の実施形態に援用することが可能である。
【００２８】
実施形態に係る眼科装置は、所定の偏向角度範囲で測定光を偏向可能な光スキャナーを含み、光スキャナーにより所定の偏向方向に偏向される測定光を用いて被検眼に対してＯＣＴを実行することが可能である。眼科装置は、ＯＣＴを実行することによりＡスキャン方向のデータセット群（第１データセット群）を取得し、光スキャナーの動作特性（例えば、偏向角度対時間特性）に対応した補正データに基づいてデータセット群の少なくとも一部を補正することにより新たなデータセット群（第２データセット群）を生成する。いくつかの実施形態では、データセット群は、干渉光の検出データ（検出結果）に対してフーリエ変換等を施すことにより得られたＡスキャン方向の反射強度プロファイルデータのデータセット群である。いくつかの実施形態では、データセット群は、反射強度プロファイルを画像化することにより得られたＡスキャン画像データのデータセット群である。いくつかの実施形態では、データセット群は、干渉光の検出データのデータセット群である。
【００２９】
これにより、光スキャナーの動作特性を考慮したＡスキャン方向のデータセット群を取得することが可能になる。例えば、光スキャナーの非線形動作によって偏在した走査位置において取得されたデータセット群から、均一に配置された走査位置におけるデータセット群を生成することが可能になる。ここで、光スキャナーの非線形動作は、光スキャナーが時間（データ収集タイミング）の変化に対して偏向角度が線形的に変化しない動作を意味する。また、例えば、光スキャナーの線形動作によって取得されたデータセット群から、所望の部位だけ高密度で取得されたデータセット群を生成することが可能である。
【００３０】
以下では、光スキャナーがガルバノスキャナーを含み、所定の偏向角度範囲において線形動作を行い、別の偏向角度範囲において非線形動作を行う場合について説明する。しかしながら、光スキャナーが線形動作を行う場合についても以下の実施形態を適用することが可能である。また、以下では、光スキャナーの動作特性として偏向角度対時間特性を例に説明するが、光スキャナーの他の動作特性についても以下の実施形態を適用することが可能である。
【００３１】
また、以下では、Ａスキャン画像データのデータセット群を補正する場合について説明するが、反射強度プロファイルデータ等のデータセット群を補正する場合についても以下の実施形態を適用することが可能である。
【００３２】
この明細書では、ＯＣＴによって取得される画像をＯＣＴ画像と総称することがある。また、ＯＣＴ画像を形成するための計測動作をＯＣＴ計測と呼ぶことがある。
【００３３】
いくつかの実施形態に係る眼科装置は、眼科撮影装置と、眼科測定装置と、眼科治療装置とのうちのいずれか１つ以上を含む。いくつかの実施形態の眼科装置に含まれる眼科撮影装置は、例えば、眼底カメラ、走査型レーザー検眼鏡、スリットランプ検眼鏡、手術用顕微鏡等のうちのいずれか１つ以上である。また、いくつかの実施形態の眼科装置に含まれる眼科測定装置は、例えば、眼屈折検査装置、眼圧計、スペキュラーマイクロスコープ、ウェーブフロントアナライザ、視野計、マイクロペリメータ等のうちのいずれか１つ以上である。また、いくつかの実施形態の眼科装置に含まれる眼科治療装置は、例えば、レーザー治療装置、手術装置、手術用顕微鏡等のうちのいずれか１つ以上である。
【００３４】
以下の実施形態に係る眼科装置は、ＯＣＴ計測が可能なＯＣＴ装置と眼底カメラとを含む。また、以下の実施形態に係る構成を、単体のＯＣＴ装置に組み込むことも可能である。
【００３５】
以下では、被検眼の眼底に対するＯＣＴ計測が可能な眼科装置を例に説明するが、実施形態に係る眼科装置は、被検眼の前眼部に対してＯＣＴ計測が可能であってよい。いくつかの実施形態では、測定光の焦点位置を変更するレンズを移動することで、ＯＣＴ計測の範囲や計測部位を変更する。いくつかの実施形態では、１以上のアタッチメント（対物レンズ、前置レンズ等）を加えることで、眼底に対するＯＣＴ計測と、前眼部に対するＯＣＴ計測と、眼底及び前眼部を含む全眼球に対するＯＣＴ計測とが可能な構成である。いくつかの実施形態では、眼底計測用の眼科装置において、対物レンズと被検眼との間に前置レンズを配置することで平行光束にされた測定光を被検眼に入射させることで前眼部に対するＯＣＴ計測を行う。
【００３６】
＜構成＞
〔光学系〕
図１に示すように、眼科装置１は、眼底カメラユニット２、ＯＣＴユニット１００及び演算制御ユニット２００を含む。眼底カメラユニット２には、被検眼Ｅの正面画像を取得するための光学系や機構が設けられている。ＯＣＴユニット１００には、ＯＣＴを実行するための光学系や機構の一部が設けられている。ＯＣＴを実行するための光学系や機構の他の一部は、眼底カメラユニット２に設けられている。演算制御ユニット２００は、各種の演算や制御を実行する１以上のプロセッサを含む。これらに加え、被検者の顔を支持するための部材（顎受け、額当て等）や、ＯＣＴの対象部位を切り替えるためのレンズユニット（例えば、前眼部ＯＣＴ用アタッチメント）等の任意の要素やユニットが眼科装置１に設けられてもよい。いくつかの実施形態では、レンズユニットが手動で被検眼Ｅと後述の対物レンズ２２との間に挿脱されるように構成される。いくつかの実施形態では、後述の制御部２１０からの制御を受け、レンズユニットが被検眼Ｅと後述の対物レンズ２２との間に自動で挿脱されるように構成される。
【００３７】
本明細書において「プロセッサ」は、例えば、ＣＰＵ（Ｃｅｎｔｒａｌ  Ｐｒｏｃｅｓｓｉｎｇ  Ｕｎｉｔ）、ＧＰＵ（Ｇｒａｐｈｉｃｓ  Ｐｒｏｃｅｓｓｉｎｇ  Ｕｎｉｔ）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、プログラマブル論理デバイス（例えば、ＳＰＬＤ（Ｓｉｍｐｌｅ  Ｐｒｏｇｒａｍｍａｂｌｅ  Ｌｏｇｉｃ  Ｄｅｖｉｃｅ）、ＣＰＬＤ（Ｃｏｍｐｌｅｘ  Ｐｒｏｇｒａｍｍａｂｌｅ  Ｌｏｇｉｃ  Ｄｅｖｉｃｅ）、ＦＰＧＡ（Ｆｉｅｌｄ  Ｐｒｏｇｒａｍｍａｂｌｅ  Ｇａｔｅ  Ａｒｒａｙ））等の回路を意味する。プロセッサは、例えば、記憶回路や記憶装置に格納されているプログラムを読み出し実行することで、実施形態に係る機能を実現する。
【００３８】
［眼底カメラユニット］
眼底カメラユニット２には、被検眼Ｅの眼底Ｅｆを撮影するための光学系が設けられている。取得される眼底Ｅｆの画像（眼底像、眼底写真等と呼ばれる）は、観察画像、撮影画像等の正面画像である。観察画像は、近赤外光を用いた動画撮影により得られる。撮影画像は、フラッシュ光を用いた静止画像である。更に、眼底カメラユニット２は、被検眼Ｅの前眼部Ｅａを撮影して正面画像（前眼部像）を取得することができる。
【００３９】
眼底カメラユニット２は、照明光学系１０と撮影光学系３０とを含む。照明光学系１０は被検眼Ｅに照明光を照射する。撮影光学系３０は、被検眼Ｅからの照明光の戻り光を検出する。ＯＣＴユニット１００からの測定光は、眼底カメラユニット２内の光路を通じて被検眼Ｅに導かれ、その戻り光は、同じ光路を通じてＯＣＴユニット１００に導かれる。
【００４０】
照明光学系１０の観察光源１１から出力された光（観察照明光）は、曲面状の反射面を有する反射ミラー１２により反射され、集光レンズ１３を経由し、可視カットフィルタ１４を透過して近赤外光となる。更に、観察照明光は、撮影光源１５の近傍にて一旦集束し、ミラー１６により反射され、リレーレンズ１７、１８、絞り１９及びリレーレンズ２０を経由する。そして、観察照明光は、孔開きミラー２１の周辺部（孔部の周囲の領域）にて反射され、ダイクロイックミラー４６を透過し、対物レンズ２２により屈折されて被検眼Ｅ（眼底Ｅｆ又は前眼部Ｅａ）を照明する。被検眼Ｅからの観察照明光の戻り光は、対物レンズ２２により屈折され、ダイクロイックミラー４６を透過し、孔開きミラー２１の中心領域に形成された孔部を通過し、ダイクロイックミラー５５を透過する。ダイクロイックミラー５５を透過した戻り光は、撮影合焦レンズ３１を経由し、ミラー３２により反射される。更に、この戻り光は、ハーフミラー３３Ａを透過し、ダイクロイックミラー３３により反射され、集光レンズ３４によりイメージセンサ３５の受光面に結像される。イメージセンサ３５は、所定のフレームレートで戻り光を検出する。なお、撮影光学系３０のフォーカスは、眼底Ｅｆ又は前眼部Ｅａに合致するように調整される。
【００４１】
撮影光源１５から出力された光（撮影照明光）は、観察照明光と同様の経路を通って眼底Ｅｆに照射される。被検眼Ｅからの撮影照明光の戻り光は、観察照明光の戻り光と同じ経路を通ってダイクロイックミラー３３まで導かれ、ダイクロイックミラー３３を透過し、ミラー３６により反射され、集光レンズ３７によりイメージセンサ３８の受光面に結像される。
【００４２】
ＬＣＤ（Ｌｉｑｕｉｄ  Ｃｒｙｓｔａｌ  Ｄｉｓｐｌａｙ）３９は固視標や視力測定用視標を表示する。ＬＣＤ３９から出力された光束は、その一部がハーフミラー３３Ａにて反射され、ミラー３２に反射され、撮影合焦レンズ３１及びダイクロイックミラー５５を経由し、孔開きミラー２１の孔部を通過する。孔開きミラー２１の孔部を通過した光束は、ダイクロイックミラー４６を透過し、対物レンズ２２により屈折されて眼底Ｅｆに投射される。
【００４３】
ＬＣＤ３９の画面上における固視標の表示位置を変更することにより、被検眼Ｅの固視位置を変更できる。固視位置の例として、黄斑を中心とする画像を取得するための固視位置や、視神経乳頭を中心とする画像を取得するための固視位置や、黄斑と視神経乳頭との間の眼底中心を中心とする画像を取得するための固視位置や、黄斑から大きく離れた部位（眼底周辺部）の画像を取得するための固視位置などがある。いくつかの実施形態に係る眼科装置１は、このような固視位置の少なくとも１つを指定するためのＧＵＩ（Ｇｒａｐｈｉｃａｌ  Ｕｓｅｒ  Ｉｎｔｅｒｆａｃｅ）等を含む。いくつかの実施形態に係る眼科装置１は、固視位置（固視標の表示位置）をマニュアルで移動するためのＧＵＩ等を含む。
【００４４】
移動可能な固視標を被検眼Ｅに呈示するための構成はＬＣＤ等の表示装置には限定されない。例えば、光源アレイ（発光ダイオード（ＬＥＤ）アレイ等）における複数の光源を選択的に点灯させることにより、移動可能な固視標を生成することができる。また、移動可能な１以上の光源により、移動可能な固視標を生成することができる。
【００４５】
また、眼科装置１には、１以上の外部固視光源が設けられてもよい。１以上の外部固視光源の１つは、被検眼Ｅの僚眼に固視光を投射することが可能である。僚眼における固視光の投射位置は、変更可能である。僚眼に対する固視光の投射位置を変更することにより、被検眼Ｅの固視位置を変更することができる。外部固視光源による固視位置は、ＬＣＤ３９を用いた被検眼Ｅの固視位置と同様であってよい。例えば、複数の外部固視光源を選択的に点灯させることにより、移動可能な固視標を生成することができる。また、移動可能な１以上の外部固視光源により、移動可能な固視標を生成することができる。
【００４６】
アライメント光学系５０は、被検眼Ｅに対する光学系のアライメントに用いられるアライメント指標を生成する。ＬＥＤ５１から出力されたアライメント光は、絞り５２及び５３並びにリレーレンズ５４を経由し、ダイクロイックミラー５５により反射され、孔開きミラー２１の孔部を通過する。孔開きミラー２１の孔部を通過した光は、ダイクロイックミラー４６を透過し、対物レンズ２２により被検眼Ｅに投射される。アライメント光の角膜反射光は、観察照明光の戻り光と同じ経路を通ってイメージセンサ３５に導かれる。その受光像（アライメント指標像）に基づいてマニュアルアライメントやオートアライメントを実行できる。
【００４７】
フォーカス光学系６０は、被検眼Ｅに対するフォーカス調整に用いられるスプリット指標を生成する。フォーカス光学系６０は、撮影光学系３０の光路（撮影光路）に沿った撮影合焦レンズ３１の移動に連動して、照明光学系１０の光路（照明光路）に沿って移動される。反射棒６７は、照明光路に対して挿脱可能である。フォーカス調整を行う際には、反射棒６７の反射面が照明光路に傾斜配置される。ＬＥＤ６１から出力されたフォーカス光は、リレーレンズ６２を通過し、スプリット指標板６３により２つの光束に分離され、二孔絞り６４を通過し、ミラー６５により反射され、集光レンズ６６により反射棒６７の反射面に一旦結像されて反射される。更に、フォーカス光は、リレーレンズ２０を経由し、孔開きミラー２１に反射され、ダイクロイックミラー４６を透過し、対物レンズ２２により屈折されて眼底Ｅｆに投射される。フォーカス光の眼底反射光は、アライメント光の角膜反射光と同じ経路を通ってイメージセンサ３５に導かれる。その受光像（スプリット指標像）に基づいてマニュアルフォーカスやオートフォーカスを実行できる。
【００４８】
ダイクロイックミラー４６は、眼底撮影用光路とＯＣＴ用光路とを合成する。ダイクロイックミラー４６は、ＯＣＴに用いられる波長帯の光を反射し、眼底撮影用の光を透過させる。ＯＣＴ用光路（測定光の光路）には、ＯＣＴユニット１００側からダイクロイックミラー４６側に向かって順に、コリメータレンズユニット４０、光路長変更部４１、光スキャナー４２、ＯＣＴ合焦レンズ４３、ミラー４４、及びリレーレンズ４５が設けられている。
【００４９】
光路長変更部４１は、図１に示す矢印の方向に移動可能とされ、ＯＣＴ用光路の長さを変更する。この光路長の変更は、眼軸長に応じた光路長補正や、干渉状態の調整などに利用される。光路長変更部４１は、コーナーキューブと、これを移動する機構とを含む。
【００５０】
光スキャナー４２は、被検眼Ｅの瞳孔と光学的に共役な位置に配置される。光スキャナー４２は、ＯＣＴ用光路を通過する測定光ＬＳを偏向する。光スキャナー４２は、測定光ＬＳを１次元的又は２次元的に偏向することが可能である。
【００５１】
１次元的に偏向する場合、光スキャナー４２は、所定の偏向方向に所定の偏向角度範囲で測定光ＬＳを偏向するガルバノスキャナーを含む。２次元的に偏向する場合、光スキャナー４２は、第１ガルバノスキャナーと、第２ガルバノスキャナーとを含む。第１ガルバノスキャナーは、ＯＣＴ光学系８の光軸に直交する水平方向に撮影部位（眼底Ｅｆ又は前眼部）をスキャンするように測定光ＬＳを偏向する。第２ガルバノスキャナーは、ＯＣＴ光学系８の光軸に直交する垂直方向に撮影部位をスキャンするように、第１ガルバノスキャナーにより偏向された測定光ＬＳを偏向する。光スキャナー４２による測定光ＬＳの走査態様としては、例えば、水平スキャン、垂直スキャン、十字スキャン、放射スキャン、円スキャン、同心円スキャン、螺旋スキャンなどがある。
【００５２】
ＯＣＴ合焦レンズ４３は、ＯＣＴ用の光学系のフォーカス調整を行うために、測定光ＬＳの光路に沿って移動される。ＯＣＴ合焦レンズ４３は、被検眼Ｅの眼底Ｅｆ又はその近傍に測定光ＬＳの焦点位置を配置するための第１レンズ位置と、被検眼Ｅに照射される測定光ＬＳを平行光束にするための第２レンズ位置とを含む移動範囲で移動可能である。撮影合焦レンズ３１の移動、フォーカス光学系６０の移動、及びＯＣＴ合焦レンズ４３の移動を連係的に制御することができる。
【００５３】
［ＯＣＴユニット］
ＯＣＴユニット１００の構成の一例を図２に示す。ＯＣＴユニット１００には、被検眼ＥのＯＣＴ画像を取得するための光学系が設けられている。この光学系は、波長掃引型（波長走査型）光源からの光を測定光と参照光とに分割し、被検眼Ｅからの測定光の戻り光と参照光路を経由した参照光とを干渉させて干渉光を生成し、この干渉光を検出する干渉光学系である。干渉光学系による干渉光の検出結果（検出信号）は、干渉光のスペクトルを示す干渉信号であり、演算制御ユニット２００に送られる。
【００５４】
光源ユニット１０１は、一般的なスウェプトソースタイプの眼科装置と同様に、出射光の波長を掃引（走査）可能な波長掃引型（波長走査型）光源を含んで構成される。波長掃引型光源は、共振器を含むレーザー光源を含んで構成される。光源ユニット１０１は、人眼では視認できない近赤外の波長帯において、出力波長を時間的に変化させる。
【００５５】
光源ユニット１０１から出力された光Ｌ０は、光ファイバ１０２により偏波コントローラ１０３に導かれてその偏光状態が調整される。偏波コントローラ１０３は、例えばループ状にされた光ファイバ１０２に対して外部から応力を与えることで、光ファイバ１０２内を導かれる光Ｌ０の偏光状態を調整する。
【００５６】
偏波コントローラ１０３により偏光状態が調整された光Ｌ０は、光ファイバ１０４によりファイバカプラ１０５に導かれて測定光ＬＳと参照光ＬＲとに分割される。
【００５７】
参照光ＬＲは、光ファイバ１１０によりコリメータ１１１に導かれて平行光束となる。平行光束となった参照光ＬＲは、光路長変更部１１４に導かれる。光路長変更部１１４は、図２に示す矢印の方向に移動可能とされ、参照光ＬＲの光路長を変更する。この移動により参照光ＬＲの光路の長さが変更される。この光路長の変更は、被検眼Ｅの眼軸長に応じた光路長の補正や、干渉状態の調整などに利用される。光路長変更部１１４は、例えばコーナーキューブと、これを移動する移動機構とを含んで構成される。この場合、光路長変更部１１４のコーナーキューブは、コリメータ１１１により平行光束とされた参照光ＬＲの進行方向を逆方向に折り返す。コーナーキューブに入射する参照光ＬＲの光路と、コーナーキューブから出射する参照光ＬＲの光路とは平行である。
【００５８】
なお、図１及び図２に示す構成においては、測定光ＬＳの光路（測定光路、測定アーム）の長さを変更するための光路長変更部４１と、参照光ＬＲの光路（参照光路、参照アーム）の長さを変更するための光路長変更部１１４の双方が設けられている。しかしながら、光路長変更部４１及び１１４の一方だけが設けられていてもよい。また、これら以外の光学部材を用いて、参照光路長と測定光路長との差を変更することも可能である。
【００５９】
光路長変更部１１４を経由した参照光ＬＲは、コリメータ１１６によって平行光束から集束光束に変換されて光ファイバ１１７に入射する。
【００６０】
コリメータ１１１と光路長変更部１１４との間の参照光路、及びコリメータ１１６と光路長変更部１１４との間の参照光路の少なくとも一方には、光路長補正部材が配置されていてもよい。光路長補正部材は、参照光ＬＲの光路長（光学距離）と測定光ＬＳの光路長とを合わせるための遅延手段として作用する。
【００６１】
光ファイバ１１７に入射した参照光ＬＲは、偏波コントローラ１１８に導かれてその偏光状態が調整される。偏波コントローラ１１８は、例えば、偏波コントローラ１０３と同様の構成を有する。偏波コントローラ１１８により偏光状態が調整された参照光ＬＲは、光ファイバ１１９によりアッテネータ１２０に導かれて、演算制御ユニット２００の制御の下で光量が調整される。アッテネータ１２０により光量が調整された参照光ＬＲは、光ファイバ１２１によりファイバカプラ１２２に導かれる。
【００６２】
一方、ファイバカプラ１０５により生成された測定光ＬＳは、光ファイバ１２７によりに導かれ、コリメータレンズユニット４０により平行光束とされる。平行光束にされた測定光ＬＳは、光路長変更部４１、光スキャナー４２、ＯＣＴ合焦レンズ４３、ミラー４４及びリレーレンズ４５を経由してダイクロイックミラー４６に導かれる。ダイクロイックミラー４６に導かれてきた測定光ＬＳは、ダイクロイックミラー４６により反射され、対物レンズ２２により屈折されて被検眼Ｅに照射される。測定光ＬＳは、被検眼Ｅの様々な深さ位置において散乱（反射を含む）される。このような後方散乱光を含む測定光ＬＳの戻り光は、往路と同じ経路を逆向きに進行してファイバカプラ１０５に導かれ、光ファイバ１２８を経由してファイバカプラ１２２に到達する。
【００６３】
ファイバカプラ１２２は、光ファイバ１２８を介して入射された測定光ＬＳと、光ファイバ１２１を介して入射された参照光ＬＲとを合成して（干渉させて）干渉光を生成する。ファイバカプラ１２２は、所定の分岐比（例えば１：１）で、測定光ＬＳと参照光ＬＲとの干渉光を分岐することにより、一対の干渉光ＬＣを生成する。ファイバカプラ１２２から出射した一対の干渉光ＬＣは、それぞれ光ファイバ１２３、１２４により検出器１２５に導かれる。
【００６４】
検出器１２５は、例えば一対の干渉光ＬＣをそれぞれ検出する一対のフォトディテクタを有し、これらによる検出結果の差分を出力するバランスドフォトダイオード（Ｂａｌａｎｃｅｄ  Ｐｈｏｔｏ  Ｄｉｏｄｅ）である。検出器１２５は、その検出結果（干渉信号）をＤＡＱ（Ｄａｔａ  Ａｃｑｕｉｓｉｔｉｏｎ  Ｓｙｓｔｅｍ）１３０に送る。ＤＡＱ１３０には、光源ユニット１０１からクロックＫＣが供給される。クロックＫＣは、光源ユニット１０１において、波長掃引型光源により所定の波長範囲内で掃引（走査）される各波長の出力タイミングに同期して生成される。光源ユニット１０１は、例えば、各出力波長の光Ｌ０を分岐することにより得られた２つの分岐光の一方を光学的に遅延させた後、これらの合成光を検出した結果に基づいてクロックＫＣを生成する。ＤＡＱ１３０は、クロックＫＣに基づき、検出器１２５の検出結果をサンプリングする。ＤＡＱ１３０は、サンプリングされた検出器１２５の検出結果を演算制御ユニット２００に送る。演算制御ユニット２００は、例えば一連の波長走査毎に（Ａライン毎に）、検出器１２５により得られた検出結果に基づくスペクトル分布にフーリエ変換等を施すことにより、各Ａラインにおける反射強度プロファイルを形成する。更に、演算制御ユニット２００は、各Ａラインの反射強度プロファイルを画像化することにより画像データを形成する。
【００６５】
［演算制御ユニット］
演算制御ユニット２００は、ＤＡＱ１３０から入力される検出信号を解析して眼底ＥｆのＯＣＴ画像を形成する。そのための演算処理は、従来のスウェプトソースタイプのＯＣＴ装置と同様である。
【００６６】
また、演算制御ユニット２００は、眼底カメラユニット２、表示装置３、及びＯＣＴユニット１００の各部を制御する。
【００６７】
眼底カメラユニット２の制御として、演算制御ユニット２００は、観察光源１１、撮影光源１５、及びＬＥＤ５１、６１の動作制御、ＬＣＤ３９の動作制御、撮影合焦レンズ３１の移動制御、ＯＣＴ合焦レンズ４３の移動制御、反射棒６７の移動制御、フォーカス光学系６０の移動制御、光路長変更部４１の移動制御、光スキャナー４２の動作制御などを行う。
【００６８】
表示装置３の制御として、演算制御ユニット２００は、被検眼ＥのＯＣＴ画像を表示装置３に表示させる。
【００６９】
ＯＣＴユニット１００の制御として、演算制御ユニット２００は、光源ユニット１０１の動作制御、光路長変更部１１４の移動制御、アッテネータ１２０の動作制御、偏波コントローラ１０３、１１８の動作制御、検出器１２５の動作制御、ＤＡＱ１３０の動作制御などを行う。
【００７０】
演算制御ユニット２００は、例えば、従来のコンピュータと同様に、マイクロプロセッサ、ＲＡＭ、ＲＯＭ、ハードディスクドライブ、通信インターフェイスなどを含んで構成される。ハードディスクドライブ等の記憶装置には、眼科装置１を制御するためのコンピュータプログラムが記憶されている。演算制御ユニット２００は、各種の回路基板、例えばＯＣＴ画像を形成するための回路基板を備えていてもよい。また、演算制御ユニット２００は、キーボードやマウス等の操作デバイス（入力デバイス）や、ＬＣＤ等の表示デバイスを備えていてもよい。
【００７１】
眼底カメラユニット２、表示装置３、ＯＣＴユニット１００、及び演算制御ユニット２００は、一体的に（つまり単一の筺体内に）構成されていてもよいし、２つ以上の筐体に別れて構成されていてもよい。
【００７２】
〔制御系〕
図３に、眼科装置１の制御系の構成例を示す。図３において、眼科装置１に含まれる構成要素の一部が省略されている。
【００７３】
（制御部）
制御部２１０は、各種の制御を実行する。制御部２１０は、主制御部２１１と記憶部２１２とを含む。
【００７４】
（主制御部）
主制御部２１１は、プロセッサを含み、眼科装置１の各部を制御する。例えば、主制御部２１１は、眼底カメラユニット２の合焦駆動部３１Ａ及び４３Ａ、イメージセンサ３５及び３８、ＬＣＤ３９、光路長変更部４１、光スキャナー４２、及び光学系全体（移動機構１５０）などを制御する。さらに、主制御部２１１は、ＯＣＴユニット１００の光源ユニット１０１、光路長変更部１１４、アッテネータ１２０、偏波コントローラ１０３及び１１８、検出器１２５、ＤＡＱ１３０などを制御する。
【００７５】
例えば、主制御部２１１は、手動又は自動で設定された固視位置に対応するＬＣＤ３９の画面上の位置に固視標を表示する。また、主制御部２１１は、ＬＣＤ３９に表示されている固視標の表示位置を（連続的に又は段階的に）変更することができる。それにより、固視標を移動することができる（つまり、固視位置を変更することができる）。固視標の表示位置や移動態様は、マニュアルで又は自動的に設定される。マニュアルでの設定は、例えばＧＵＩを用いて行われる。自動的な設定は、例えば、データ処理部２３０により行われる。
【００７６】
合焦駆動部３１Ａは、撮影光学系３０の光軸方向に撮影合焦レンズ３１を移動させるとともに、照明光学系１０の光軸方向にフォーカス光学系６０を移動させる。それにより、撮影光学系３０の合焦位置が変更される。合焦駆動部３１Ａは、撮影合焦レンズ３１を移動させる機構と、フォーカス光学系６０を移動させる機構とを個別に有していてよい。合焦駆動部３１Ａは、フォーカス調整を行うときなどに制御される。
【００７７】
合焦駆動部４３Ａは、測定光路の光軸方向にＯＣＴ合焦レンズ４３を移動させる。それにより、測定光ＬＳの合焦位置が変更される。例えば、ＯＣＴ合焦レンズ４３を第１レンズ位置に移動させることにより、測定光ＬＳの合焦位置を眼底Ｅｆ又はその近傍に配置することができる。例えば、ＯＣＴ合焦レンズ４３を第２レンズ位置に移動させることにより、測定光ＬＳの合焦位置を遠点位置に配置して測定光ＬＳを平行光束にすることができる。測定光ＬＳの合焦位置は、測定光ＬＳのビームウェストの深さ位置（ｚ位置）に相当する。
【００７８】
移動機構１５０は、例えば、少なくとも眼底カメラユニット２（光学系）を３次元的に移動する。典型的な例において、移動機構１５０は、少なくとも眼底カメラユニット２をｘ方向（左右方向）に移動するための機構と、ｙ方向（上下方向）に移動するための機構と、ｚ方向（奥行き方向、前後方向）に移動するための機構とを含む。ｘ方向に移動するための機構は、例えば、ｘ方向に移動可能なｘステージと、ｘステージを移動するｘ移動機構とを含む。ｙ方向に移動するための機構は、例えば、例えば、ｙ方向に移動可能なｙステージと、ｙステージを移動するｙ移動機構とを含む。ｚ方向に移動するための機構は、例えば、ｚ方向に移動可能なｚステージと、ｚステージを移動するｚ移動機構とを含む。各移動機構は、パルスモータ等のアクチュエータを含み、主制御部２１１からの制御を受けて動作する。
【００７９】
移動機構１５０に対する制御は、アライメントやトラッキングにおいて用いられる。トラッキングとは、被検眼Ｅの眼球運動に合わせて装置光学系を移動させるものである。トラッキングを行う場合には、事前にアライメントとフォーカス調整が実行される。トラッキングは、装置光学系の位置を眼球運動に追従させることにより、アライメントとピントが合った好適な位置関係を維持する機能である。いくつかの実施形態では、参照光の光路長（よって、測定光の光路と参照光の光路との間の光路長差）を変更するために移動機構１５０の制御を行うように構成される。
【００８０】
マニュアルアライメントの場合、光学系に対する被検眼Ｅの変位がキャンセルされるようにユーザが後述のユーザインターフェイス２４０に対して操作することにより光学系と被検眼Ｅとを相対移動させる。例えば、主制御部２１１は、ユーザインターフェイス２４０に対する操作内容に対応した制御信号を移動機構１５０に出力することにより移動機構１５０を制御して光学系と被検眼Ｅとを相対移動させる。
【００８１】
オートアライメントの場合、光学系に対する被検眼Ｅの変位がキャンセルされるように主制御部２１１が移動機構１５０を制御することにより光学系と被検眼Ｅとを相対移動させる。いくつかの実施形態では、主制御部２１１は、光学系の光軸が被検眼Ｅの軸に略一致し、かつ、被検眼Ｅに対する光学系の距離が所定の作動距離になるように制御信号を移動機構１５０に出力することにより移動機構１５０を制御して光学系と被検眼Ｅとを相対移動させる。ここで、作動距離とは、対物レンズ２２のワーキングディスタンスとも呼ばれる既定値であり、光学系を用いた測定時（撮影時）における被検眼Ｅと光学系との間の距離に相当する。
【００８２】
主制御部２１１は、眼底カメラユニット２等を制御することにより眼底撮影及び前眼部撮影を制御する。また、主制御部２１１は、眼底カメラユニット２及びＯＣＴユニット１００等を制御することによりＯＣＴ計測を制御する。主制御部２１１は、ＯＣＴ計測を行う前に複数の予備的な動作を実行可能である。予備的な動作としては、アライメント、フォーカス粗調整、偏光調整、フォーカス微調整などがある。複数の予備的な動作は、所定の順序で実行される。いくつかの実施形態では、複数の予備的な動作は、上記の順序で実行される。
【００８３】
なお、予備的な動作の種別や順序はこれに限定されるものではなく、任意である。例えば、被検眼Ｅが小瞳孔眼であるか否か判定するための予備動作（小瞳孔判定）を予備的な動作に加えることができる。小瞳孔判定は、例えば、フォーカス粗調整と光路長差調整との間に実行される。いくつかの実施形態では、小瞳孔判定は、以下の一連の処理を含む：被検眼Ｅの正面画像（前眼部像）の取得する処理；瞳孔に相当する画像領域を特定する処理；特定された瞳孔領域のサイズ（径、周長など）を求める処理；求められたサイズに基づき小瞳孔眼か否か判定する処理（閾値処理）；小瞳孔眼であると判定された場合に絞り１９を制御する処理。いくつかの実施形態では、瞳孔サイズを求めるために瞳孔領域を円近似または楕円近似する処理を更に含む。
【００８４】
フォーカス粗調整は、スプリット指標を用いたフォーカス調整である。なお、あらかじめ取得された眼屈折力と撮影合焦レンズ３１の位置とを関連付けた情報と、被検眼Ｅの屈折力の測定値とに基づいて撮影合焦レンズ３１の位置を決定することにより、フォーカス粗調整を行うこともできる。
【００８５】
フォーカス微調整は、ＯＣＴ計測の干渉感度に基づいて行われる。例えば、被検眼ＥのＯＣＴ計測により取得された干渉信号の干渉強度（干渉感度）をモニタすることにより、干渉強度が最大となるようなＯＣＴ合焦レンズ４３の位置を求め、その位置にＯＣＴ合焦レンズ４３を移動させることにより、フォーカス微調整を実行することができる。
【００８６】
光路長差調整においては、被検眼Ｅにおける所定の位置が深さ方向の計測範囲の基準位置になるように制御される。この制御は、光路長変更部４１、１１４の少なくとも一方に対して行われる。それにより、測定光路と参照光路との間の光路長差が調整される。光路長差調整により基準位置を設定しておくことで、波長掃引速度の変更を行うだけで深さ方向の所望の計測範囲に対して精度よくＯＣＴ計測を行うことができるようになる。
【００８７】
偏光調整においては、測定光ＬＳと参照光ＬＲとの干渉効率を最適化するために参照光ＬＲの偏光状態が調整される。
【００８８】
（記憶部）
記憶部２１２は、各種のデータを記憶する。記憶部２１２に記憶されるデータとしては、例えば、ＯＣＴ画像の画像データ、眼底像の画像データ、前眼部像の画像データ、被検眼情報などがある。被検眼情報は、患者ＩＤや氏名などの被検者に関する情報や、左眼／右眼の識別情報などの被検眼に関する情報を含む。
【００８９】
また、記憶部２１２には、補正データ２１２Ａが記憶されている。補正データ２１２Ａは、ＯＣＴを実行することにより取得されたＡスキャン方向のデータセット群を補正するためのデータである。補正データ２１２Ａは、光スキャナー４２の偏向角度対時間特性（広義には、動作特性）に対応したデータである。いくつかの実施形態では、記憶部２１２は、光スキャナー４２の偏向角度範囲及び偏向速度（走査周波数）の少なくとも１つが異なる複数のスキャン条件に対応した複数の補正データ２１２Ａを記憶する。
【００９０】
また、記憶部２１２には、眼科装置１を動作させるための各種プログラムやデータが記憶されている。
【００９１】
（データ処理部）
データ処理部２３０は、被検眼Ｅの撮影やＯＣＴ計測により取得されたデータを処理する。データ処理部２３０は、画像形成部２３１と、補正部２３２とを含む。
【００９２】
（画像形成部）
画像形成部２３１は、検出器１２５からの検出信号をＤＡＱ１３０でサンプリングすることにより得られたサンプリングデータに基づいて、被検眼ＥのＯＣＴ画像（画像データ）を形成する。画像形成部２３１により形成されるＯＣＴ画像には、Ａスキャン画像、Ｂスキャン画像（断層像）、Ｃスキャン画像などがある。この処理には、従来のスウェプトソースタイプのＯＣＴと同様に、ノイズ除去（ノイズ低減）、フィルタ処理、分散補償、ＦＦＴ（Ｆａｓｔ  Ｆｏｕｒｉｅｒ  Ｔｒａｎｓｆｏｒｍ）などの処理が含まれている。他のタイプのＯＣＴ装置の場合、画像形成部２３１は、そのタイプに応じた公知の処理を実行する。
【００９３】
画像形成部２３１は、例えば、前述の回路基板を含んで構成される。なお、この明細書では、「画像データ」と、それに基づく「画像」とを同一視することがある。
【００９４】
例えば、データ処理部２３０は、画像形成部２３１により形成された画像に対して各種の画像処理や解析処理を施す。例えば、データ処理部２３０は、画像の輝度補正等の各種補正処理を実行する。また、データ処理部２３０は、眼底カメラユニット２により得られた画像（眼底像、前眼部像等）に対して各種の画像処理や解析処理を施す。
【００９５】
データ処理部２３０は、断層像の間の画素を補間する補間処理などの公知の画像処理を実行して、眼底Ｅｆの３次元画像の画像データを形成する。なお、３次元画像の画像データとは、３次元座標系により画素の位置が定義された画像データを意味する。３次元画像の画像データとしては、３次元的に配列されたボクセルからなる画像データがある。この画像データは、ボリュームデータ或いはボクセルデータなどと呼ばれる。ボリュームデータに基づく画像を表示させる場合、データ処理部２３０は、このボリュームデータに対してレンダリング処理（ボリュームレンダリングやＭＩＰ（Ｍａｘｉｍｕｍ  Ｉｎｔｅｎｓｉｔｙ  Ｐｒｏｊｅｃｔｉｏｎ：最大値投影）など）を施して、特定の視線方向から見たときの擬似的な３次元画像の画像データを形成する。表示部２４０Ａ等の表示デバイスには、この擬似的な３次元画像が表示される。
【００９６】
また、３次元画像の画像データとして、複数の断層像のスタックデータを形成することも可能である。スタックデータは、複数のスキャンラインに沿って得られた複数の断層像を、スキャンラインの位置関係に基づいて３次元的に配列させることで得られる画像データである。すなわち、スタックデータは、元々個別の２次元座標系により定義されていた複数の断層像を、１つの３次元座標系により表現する（つまり１つの３次元空間に埋め込む）ことにより得られる画像データである。
【００９７】
データ処理部２３０は、取得された３次元データセット（ボリュームデータ、スタックデータ等）に各種のレンダリングを施すことで、任意断面におけるＢモード画像（縦断面像、軸方向断面像）、任意断面におけるＣモード画像（横断面像、水平断面像）、プロジェクション画像、シャドウグラムなどを形成することができる。Ｂモード画像やＣモード画像のような任意断面の画像は、指定された断面上の画素（ピクセル、ボクセル）を３次元データセットから選択することにより形成される。プロジェクション画像は、３次元データセットを所定方向（ｚ方向、深さ方向、軸方向）に投影することによって形成される。シャドウグラムは、３次元データセットの一部（たとえば特定層に相当する部分データ）を所定方向に投影することによって形成される。Ｃモード画像、プロジェクション画像、シャドウグラムのような、被検眼の正面側を視点とする画像を正面画像（ｅｎ−ｆａｃｅ画像）と呼ぶ。
【００９８】
データ処理部２３０は、ＯＣＴにより時系列に収集されたデータ（例えば、Ｂスキャン画像データ）に基づいて、網膜血管や脈絡膜血管が強調されたＢモード画像や正面画像（血管強調画像、アンギオグラム）を構築することができる。例えば、被検眼Ｅの略同一部位を反復的にスキャンすることにより、時系列のＯＣＴデータを収集することができる。
【００９９】
いくつかの実施形態では、データ処理部２３０は、略同一部位に対するＢスキャンにより得られた時系列のＢスキャン画像を比較し、信号強度の変化部分の画素値を変化分に対応した画素値に変換することにより当該変化部分が強調された強調画像を構築する。更に、データ処理部２３０は、構築された複数の強調画像から所望の部位における所定の厚さ分の情報を抽出してｅｎ−ｆａｃｅ画像として構築することでＯＣＴＡ像を形成する。
【０１００】
データ処理部２３０により生成された画像（例えば、３次元画像、Ｂモード画像、Ｃモード画像、プロジェクション画像、シャドウグラム、ＯＣＴＡ像）もまたＯＣＴ画像に含まれる。
【０１０１】
更に、データ処理部２３０は、ＯＣＴ計測により得られた干渉光の検出結果を解析してフォーカス微調整制御における測定光ＬＳのフォーカス状態を判定する。例えば、主制御部２１１は、合焦駆動部４３Ａを所定のアルゴリズムにしたがって制御しつつ、反復的なＯＣＴ計測を行う。データ処理部２３０は、ＯＣＴ計測により繰り返し取得される干渉光ＬＣの検出結果を解析することで、ＯＣＴ画像の画質に関する所定の評価値を算出する。データ処理部２３０は、算出された評価値が閾値以下であるか否か判定する。いくつかの実施形態では、フォーカス微調整は、算出される評価値が閾値以下になるまで継続される。すなわち、評価値が閾値以下であるとき測定光ＬＳのフォーカス状態が適正であると判断され、フォーカス微調整は、測定光ＬＳのフォーカス状態が適正であると判断されるまで継続される。
【０１０２】
いくつかの実施形態では、主制御部２１１は、上記のような反復的なＯＣＴ計測を行って干渉信号を取得しつつ、逐次に取得される干渉信号の強度（干渉強度、干渉感度）をモニタする。更に、このモニタ処理を行いながら、ＯＣＴ合焦レンズ４３を移動させることにより、干渉強度が最大となるようなＯＣＴ合焦レンズ４３の位置を探索する。このようなフォーカス微調整によれば、干渉強度が最適化されるような位置にＯＣＴ合焦レンズ４３を導くことができる。
【０１０３】
また、データ処理部２３０は、ＯＣＴ計測により得られた干渉光の検出結果を解析して、測定光ＬＳ及び参照光ＬＲの少なくとも一方の偏波状態を判定する。例えば、主制御部２１１は、偏波コントローラ１０３、１１８の少なくとも一方を所定のアルゴリズムにしたがって制御しつつ、反復的なＯＣＴ計測を行う。いくつかの実施形態では、主制御部２１１は、アッテネータ１２０を制御して、参照光ＬＲの減衰量を変更する。データ処理部２３０は、ＯＣＴ計測により繰り返し取得される干渉光ＬＣの検出結果を解析することで、ＯＣＴ画像の画質に関する所定の評価値を算出する。データ処理部２３０は、算出された評価値が閾値以下であるか否か判定する。この閾値はあらかじめ設定される。偏波調整は、算出される評価値が閾値以下になるまで継続される。すなわち、評価値が閾値以下であるとき測定光ＬＳの偏波状態が適正であると判断され、偏波調整は、測定光ＬＳの偏波状態が適正であると判断されるまで継続される。
【０１０４】
いくつかの実施形態では、主制御部２１１は、偏波調整においても干渉強度をモニタすることが可能である。
【０１０５】
更に、データ処理部２３０は、ＯＣＴ計測により得られた干渉光の検出結果、又は当該検出結果に基づいて形成されたＯＣＴ画像に対して所定の解析処理を行う。所定の解析処理には、被検眼Ｅにおける所定の部位（組織、病変部）の特定；指定された部位間の距離（層間距離）、面積、角度、比率、密度の算出；指定された計算式による演算；所定の部位の形状の特定；これらの統計値の算出；計測値、統計値の分布の算出；これら解析処理結果に基づく画像処理などがある。所定の組織には、血管、視神経乳頭、中心窩、黄斑などがある。所定の病変部には、白斑、出血などがある。
【０１０６】
（補正部）
補正部２３２は、画像形成部２３１により形成されたＡスキャン方向のデータセット群を補正データ２１２Ａに基づいて補正することにより、新たなＡスキャン方向のデータセット群を生成する。いくつかの実施形態では、補正部２３２は、スキャン条件に対応して記憶部２１２に記憶された補正データに基づいてＡスキャン方向のデータセット群の少なくとも一部を補正することが可能である。
【０１０７】
図４〜図６に、実施形態に係る補正部２３２の動作説明図を示す。図４は、光スキャナー４２の偏向角度対時間特性を模式的に表す。図４において、横軸はＡスキャンの実行タイミング（データセットの取得タイミング）に対応する時間を表し、縦軸は偏向角度を表す。図５は、補正部２３２による補正動作を説明するための図である。図６は、被検眼Ｅの眼底Ｅｆの断層像を模式的に表す。なお、図６において、断層像ＩＭＧ０、ＩＭＧ１におけるＡスキャンの数は例示的なものであり、その数に限定されるものではない。
【０１０８】
光スキャナー４２は、測定光ＬＳを反射するミラーを含み、ミラーを所定の偏向方向に対応する揺動方向に往復的に揺動することにより所定の偏向角度範囲で測定光ＬＳを偏向する。偏向角度範囲は、図４に示すように、偏向開始角度ｒｓ（第１偏向角度）と偏向終了角度ｒｅ（第２偏向角度）との間の範囲である。このような光スキャナー４２は、ガルバノスキャナー、レゾナントミラー等を含む。すなわち、光スキャナー４２による偏向角度範囲には、図４に示すように、データセットの取得タイミングの変化（時間変化）に対して偏向角度の変化が略線形的に動作する線形動作範囲Ｒ０と、データセットの取得タイミングの変化に対して偏向角度の変化が線形的に動作しない非線形動作範囲Ｒ１、Ｒ２とが含まれる。非線形動作範囲Ｒ１は、偏向開始角度ｒｓを含む。非線形動作範囲Ｒ２は、偏向終了角度ｒｅを含む。
【０１０９】
図４に示す偏向角度範囲で測定光ＬＳを偏向することにより得られたＡスキャン方向のデータセット群から図６に示すような断層像ＩＭＧ０が得られる。図６に示す断層像ＩＭＧ０では、上記の光スキャナー４２の非線形動作によって、非線形動作範囲Ｒ１、Ｒ２において偏向角度の変化が小さくなるため時間的に等間隔で取得されたデータセット群の走査位置の間隔は狭くなる。これに対して、線形動作範囲Ｒ０において偏向角度が略等間隔に変化するため時間的に等間隔で取得されたデータセット群の走査位置が等間隔になる。従って、実用上、非線形動作範囲Ｒ１、Ｒ２で取得されたデータセット群を用いて断層像を形成することができず、線形動作範囲Ｒ０で取得されたデータセット群を用いて断層像を形成せざるを得ない。広角で高精細なＯＣＴ計測に必要な偏向速度の高速化は非線形動作範囲の拡大を招くため、これは、偏向速度のより一層の高速化には対応することができないことを意味する。
【０１１０】
一方、補正部２３２は、図５に示すように、光スキャナー４２の動作特性に応じて上記の走査位置の偏在をキャンセルするようにデータセット群を補正する。すなわち、補正部２３２は、ＯＣＴにより得られたデータセット群が光スキャナー４２により偏向角度範囲において略等間隔の偏向角度で偏向された測定光ＬＳに基づいて取得されたデータセット群になるように、データセット群のうち偏向角度範囲の少なくとも一部の範囲（非線形動作範囲Ｒ１、Ｒ２）に対応する１以上のデータセットを補正データに基づいて補正する。
【０１１１】
補正部２３２により生成された新たなデータセット群から図６に示すような断層像ＩＭＧ１が得られる。図６に示す断層像ＩＭＧ１は、上記の光スキャナー４２の非線形動作にかかわらず、偏向角度範囲において略等間隔の偏向角度で偏向された測定光ＬＳにより取得されたデータセット群から形成される。従って、線形動作範囲Ｒ０だけではなく非線形動作範囲Ｒ１、Ｒ２（の少なくとも一部）で取得されたデータセット群を用いて断層像を形成することができるようになる。これは、偏向速度を高速化しても非線形動作範囲の一部を活用することができるため、偏向速度のより一層の高速化に対応することができることを意味する。
【０１１２】
補正部２３２は、種々の方法でデータセット群を補正することが可能である。
【０１１３】
（第１動作例）
図７に、実施形態の第１動作例に係る補正部２３２の構成例のブロック図を示す。
【０１１４】
補正部２３２は、抽出部２３２Ａを含む。抽出部２３２Ａは、ＯＣＴを実行することにより得られたデータセット群の少なくとも一部から１以上のデータセットを抽出する。補正部２３２は、ＯＣＴを実行することにより得られたデータセット群の少なくとも一部を、抽出部２３２Ａにより抽出された１以上のデータセットに置き換えることにより新たなデータセット群を生成する。
【０１１５】
図８に、実施形態の第１動作例に係る補正部２３２の動作説明図を示す。図８において、図５と同様の部分には同一符号を付し、適宜説明を省略する。
【０１１６】
抽出部２３２Ａは、偏向角度が等間隔になるように１以上のデータセットを抽出する。このとき、抽出部２３２Ａは、光スキャナー４２の偏向角度対時間特性における非線形動作範囲Ｒ１又はＲ２において所望の偏向角度に対応するデータセットに対して最も近いデータセットを抽出することが可能である。すなわち、抽出部２３２Ａは、最近傍法により選択された１以上のデータセットを抽出することが可能である。
【０１１７】
（第２動作例）
図９に、実施形態の第２動作例に係る補正部２３２の構成例のブロック図を示す。
【０１１８】
補正部２３２は、補間部２３２Ｂを含む。補間部２３２Ｂは、ＯＣＴを実行することにより得られたデータセット群の少なくとも一部を補間して補間データセットを算出する。補正部２３２は、ＯＣＴを実行することにより得られたデータセット群の少なくとも一部を、補間部２３２Ｂにより算出された補間データセットに置き換えることにより新たなデータセット群を生成する。
【０１１９】
図１０に、実施形態の第２動作例に係る補正部２３２の動作説明図を示す。図１０において、図５と同様の部分には同一符号を付し、適宜説明を省略する。
【０１２０】
補間部２３２Ｂは、偏向角度が等間隔になるように、ＯＣＴを実行することにより得られたデータセット群の少なくとも一部を補間して補間データセットを算出する。このとき、補間部２３２Ｂは、光スキャナー４２の偏向角度対時間特性における非線形動作範囲Ｒ１又はＲ２において所望の偏向角度に対応するデータセットに隣接する両側のデータセットを線形補間することにより補間データセットを算出する。いくつかの実施形態では、補間部２３２Ｂは、光スキャナー４２の偏向角度対時間特性における非線形動作範囲Ｒ１又はＲ２において所望の偏向角度に対応するデータセットを含む所定範囲内のデータセットを平均化することにより補間データセットを算出する。
【０１２１】
（第３動作例）
図１１に、実施形態の第３動作例に係る補正部２３２の構成例のブロック図を示す。
【０１２２】
補正部２３２は、位置合わせ部２３２Ｃと、補間部２３２Ｄとを含む。位置合わせ部２３２Ｃは、ＯＣＴを実行することにより得られたデータセット群の少なくとも一部をＡスキャン方向に位置合わせする。補間部２３２Ｄは、位置合わせ部２３２Ｃにより位置合わせが行われたデータセット群の少なくとも一部を補間して補間データセットを算出する。補正部２３２は、ＯＣＴを実行することにより得られたデータセット群の少なくとも一部を補間部２３２Ｄにより算出された補間データセットに置き換えることにより新たなデータセット群を生成する。
【０１２３】
図１２に、実施形態の第３動作例に係る補正部２３２の動作説明図を示す。図１２は、実施形態に係る偏向角度対時間特性のグラフを模式的に表す。図１２において、図５と同様の部分には同一符号を付し、適宜説明を省略する。また、図１２は、Ａラインの反射強度プロファイルデータのデータセットの補間処理の動作を模式的に表すが、Ａスキャン画像データのデータセットの補間処理の動作も同様である。
【０１２４】
位置合わせ部２３２Ｃは、光スキャナー４２の偏向角度対時間特性における非線形動作範囲Ｒ１又はＲ２において偏向角度が等間隔になるように２つのデータセットを選択し、選択された２つのデータセットについて深さ方向の所定範囲を特定する。いくつかの実施形態では、位置合わせ部２３２Ｃは、セグメンターション処理により所定の層領域に相当する深さ方向の範囲を特定する。位置合わせ部２３２Ｃは、非線形動作範囲Ｒ１又はＲ２における２つのデータセットについて上記の深さ方向の範囲を特定し、偏向角度が等間隔になるように補間データセットのｚ位置を特定する。位置合わせ部２３２Ｃは、非線形動作範囲Ｒ１又はＲ２における２つのデータセットを、特定されたｚ位置に位置合わせする。
【０１２５】
補間部２３２Ｄは、位置合わせ部２３２Ｃにより位置合わせが行われた２つのデータセットについて、特定された深さ方向の範囲について補間して補間データセットを算出する。このとき、補間部２３２Ｄは、線形補間処理、平均化処理、又は加重平均処理により補間データセットを算出する。
【０１２６】
（第４動作例）
図１３に、実施形態の第４動作例に係る補正部２３２の構成例のブロック図を示す。
【０１２７】
補正部２３２は、追加部２３２Ｅを含む。追加部２３２Ｅは、偏向角度が等間隔になるように新たなデータセットを生成する。いくつかの実施形態では、追加部２３２Ｅは、光スキャナー４２の偏向角度対時間特性における線形動作範囲Ｒ０の偏向角度に対応するデータセットを追加する。いくつかの実施形態では、追加部２３２Ｅは、隣接するＡラインのデータセットを複製する。すなわち、追加部２３２Ｅは、線形動作範囲Ｒ０の偏向角度に対応するデータセットに基づいてデータセットを追加する。
【０１２８】
図１４に、実施形態の第４動作例に係る補正部２３２の動作説明図を示す。図１４において、図５と同様の部分には同一符号を付し、適宜説明を省略する。
【０１２９】
追加部２３２Ｅは、偏向角度が等間隔になるように線形動作範囲Ｒ０における偏向角度に対応するデータセットを追加する。いくつかの実施形態では、補正部２３２は、偏向角度が等間隔になるように、非線形動作範囲Ｒ１又はＲ２における偏向角度に対応するデータセットを間引く。
【０１３０】
以上のように機能するデータ処理部２３０は、例えば、前述のマイクロプロセッサ、ＲＡＭ、ＲＯＭ、ハードディスクドライブ、回路基板等を含んで構成される。ハードディスクドライブ等の記憶装置には、上記機能をマイクロプロセッサに実行させるコンピュータプログラムがあらかじめ格納されている。
【０１３１】
（ユーザインターフェイス）
ユーザインターフェイス２４０には、表示部２４０Ａと操作部２４０Ｂとが含まれる。表示部２４０Ａは、前述した演算制御ユニット２００の表示デバイスや表示装置３を含んで構成される。操作部２４０Ｂは、前述した演算制御ユニット２００の操作デバイスを含んで構成される。操作部２４０Ｂには、眼科装置１の筐体や外部に設けられた各種のボタンやキーが含まれていてもよい。例えば眼底カメラユニット２が従来の眼底カメラと同様の筺体を有する場合、操作部２４０Ｂは、この筺体に設けられたジョイスティックや操作パネル等を含んでいてもよい。また、表示部２４０Ａは、眼底カメラユニット２の筺体に設けられたタッチパネルなどの各種表示デバイスを含んでいてもよい。
【０１３２】
なお、表示部２４０Ａと操作部２４０Ｂは、それぞれ個別のデバイスとして構成される必要はない。例えばタッチパネルのように、表示機能と操作機能とが一体化されたデバイスを用いることも可能である。その場合、操作部２４０Ｂは、このタッチパネルとコンピュータプログラムとを含んで構成される。操作部２４０Ｂに対する操作内容は、電気信号として制御部２１０に入力される。また、表示部２４０Ａに表示されたグラフィカルユーザインターフェイス（ＧＵＩ）と、操作部２４０Ｂとを用いて、操作や情報入力を行うようにしてもよい。
【０１３３】
ＯＣＴユニット１００に含まれる干渉光学系から対物レンズ２２に至る経路における光学系、又はこれら光学系と画像形成部２３１は、実施形態に係る「データ取得部」の一例である。
【０１３４】
［動作］
実施形態に係る眼科装置１の動作について説明する。
【０１３５】
第１動作例では、Ａスキャン画像データのデータセット群が補正される。
【０１３６】
図１５に、実施形態に係る眼科装置１の第１動作例を示す。図１５は、実施形態に係る眼科装置１の第１動作例のフローチャートを表す。記憶部２１２には、図１５に示す処理を実現するためのコンピュータプログラムが記憶されている。主制御部２１１は、このコンピュータプログラムに従って動作することにより、図１５に示す処理を実行する。
【０１３７】
（Ｓ１：アライメント）
主制御部２１１は、アライメントを実行する。
【０１３８】
すなわち、主制御部２１１は、アライメント光学系５０を制御して、被検眼Ｅにアライメント指標を投影させる。このとき、被検眼Ｅには、ＬＣＤ３９による固視標も投影される。主制御部２１１は、例えばイメージセンサ３５により取得された受光像に基づいて特定された光学系の移動量に基づいて移動機構１５０を制御し、被検眼Ｅに対して光学系を当該移動量だけ相対的に移動させる。主制御部２１１は、この処理を繰り返し実行させる。
【０１３９】
いくつかの実施形態では、ステップＳ１におけるアライメント完了後に、上記のアライメント粗調整及びアライメント微調整が行われる。
【０１４０】
（Ｓ２：調整用断層像を取得）
主制御部２１１は、ＬＣＤ３９の所定位置にＯＣＴ計測用の固視標を表示させる。主制御部２１１は、眼底Ｅｆにおける光学系の光軸の位置に対応するＬＣＤ３９の表示位置に固視標を表示させることが可能である。
【０１４１】
続いて、主制御部２１１は、ＯＣＴユニット１００を制御してＯＣＴ仮計測を実行させ、深さ方向の計測範囲の基準位置を調整するための調整用断層像を取得させる。具体的には、主制御部２１１は、光スキャナー４２を制御することにより、光源ユニット１０１から出射された光Ｌ０に基づいて生成された測定光ＬＳを偏向し、偏向された測定光ＬＳで被検眼Ｅの所定部位（例えば眼底）をスキャンさせる。測定光ＬＳのスキャンにより得られた干渉光の検出結果は、クロックＫＣに同期してサンプリングされた後、画像形成部２３１に送られる。画像形成部２３１は、得られた干渉信号から被検眼Ｅの断層像（ＯＣＴ画像）を形成する。
【０１４２】
（Ｓ３：深さ方向の基準位置を調整）
続いて、主制御部２１１は、深さ方向（ｚ方向）の計測範囲の基準位置を調整する。
【０１４３】
例えば、主制御部２１１は、ステップＳ２において得られた断層像における所定の部位（例えば、強膜）をデータ処理部２３０に特定させ、特定された所定の部位の位置に対して深さ方向に所定の距離だけ離れた位置を計測範囲の基準位置として設定する。また、測定光ＬＳと参照光ＬＲの光路長が略一致するようにあらかじめ決められた所定の位置が計測範囲の基準位置として設定されてもよい。
【０１４４】
（Ｓ４：フォーカス調整、偏波調整）
次に、主制御部２１１は、フォーカス調整制御及び偏波調整制御を実行する。
【０１４５】
例えば、主制御部２１１は、合焦駆動部４３Ａを制御してＯＣＴ合焦レンズ４３を所定の距離だけ移動させた後、ＯＣＴユニット１００を制御してＯＣＴ計測を実行させる。主制御部２１１は、上記のように、ＯＣＴ計測により得られた干渉光の検出結果に基づいて測定光ＬＳのフォーカス状態をデータ処理部２３０に判定させる。データ処理部２３０による判定結果に基づいて測定光ＬＳのフォーカス状態が適正ではないと判断されたとき、主制御部２１１は、再び合焦駆動部４３Ａの制御を行い、フォーカス状態が適正であると判断されるまで繰り返す。
【０１４６】
また、例えば、主制御部２１１は、偏波コントローラ１０３、１１８の少なくとも一方を制御して光Ｌ０及び測定光ＬＳの少なくとも一方の偏波状態を所定の量だけ変更した後、ＯＣＴユニット１００を制御してＯＣＴ計測を実行させ、取得された干渉光の検出結果に基づくＯＣＴ画像を画像形成部２３１に形成させる。主制御部２１１は、上記のように、ＯＣＴ計測により得られたＯＣＴ画像の画質をデータ処理部２３０に判定させる。データ処理部２３０による判定結果に基づいて測定光ＬＳの偏波状態が適正ではないと判断されたとき、主制御部２１１は、再び偏波コントローラ１０３、１１８の制御を行い、偏波状態が適正であると判断されるまで繰り返す。
【０１４７】
（Ｓ５：干渉信号を取得）
続いて、主制御部２１１は、ＯＣＴユニット１００を制御してＯＣＴ計測を実行させる。当該ＯＣＴ計測により取得された干渉光の検出結果は、ＤＡＱ１３０においてサンプリングされ、干渉信号として記憶部２１２等に保存される。
【０１４８】
（Ｓ６：断層像を形成）
次に、主制御部２１１は、ステップＳ５において取得された干渉信号に基づいて被検眼ＥのＡスキャン画像データのデータセット群を画像形成部２３１に形成させる。
【０１４９】
（Ｓ７：断層像を補正）
主制御部２１１は、記憶部２１２に記憶された補正データ２１２Ａに基づいて、ステップＳ６において形成されたＡスキャン画像データのデータセット群の少なくとも一部を補正部２３２に補正させることにより新たなＡスキャン画像データのデータセット群を生成させる。主制御部２１１は、新たに生成されたＡスキャン画像データのデータセット群に基づいてＢスキャン画像（図６の断層像ＩＭＧ１）を表示部２４０Ａに表示させることが可能である。
【０１５０】
以上で、眼科装置１の動作は終了である（エンド）。
【０１５１】
第２動作例では、反射強度プロファイルデータのデータセット群が補正される。
【０１５２】
図１６に、実施形態に係る眼科装置１の第２動作例を示す。図１６は、実施形態に係る眼科装置１の第２動作例のフローチャートを表す。記憶部２１２には、図１６に示す処理を実現するためのコンピュータプログラムが記憶されている。主制御部２１１は、このコンピュータプログラムに従って動作することにより、図１６に示す処理を実行する。
【０１５３】
（Ｓ１１：アライメント）
主制御部２１１は、ステップＳ１と同様に、アライメントを実行する。
【０１５４】
（Ｓ１２：調整用断層像を取得）
主制御部２１１は、ステップＳ２と同様に、ＯＣＴユニット１００を制御してＯＣＴ仮計測を実行させ、深さ方向の計測範囲の基準位置を調整するための調整用断層像を取得させる。
【０１５５】
（Ｓ１３：深さ方向の基準位置を調整）
続いて、主制御部２１１は、ステップＳ３と同様に、深さ方向（ｚ方向）の計測範囲の基準位置を調整する。
【０１５６】
（Ｓ１４：フォーカス調整、偏波調整）
次に、主制御部２１１は、ステップＳ４と同様に、フォーカス調整制御及び偏波調整制御を実行する。
【０１５７】
（Ｓ１５：干渉信号を取得）
続いて、主制御部２１１は、ステップＳ５と同様に、ＯＣＴユニット１００を制御してＯＣＴ計測を実行させる。
【０１５８】
（Ｓ１６：データセット群を補正）
主制御部２１１は、記憶部２１２に記憶された補正データ２１２Ａに基づいて、ステップＳ１５において取得された反射強度プロファイルデータのデータセット群の少なくとも一部を補正部２３２に補正させることにより新たな反射強度プロファイルデータのデータセット群を生成させる。
【０１５９】
（Ｓ１７：断層像を形成）
次に、主制御部２１１は、ステップＳ１６において生成された新たな反射強度プロファイルデーのデータセット群に基づいて被検眼ＥのＡスキャン画像データのデータセット群を画像形成部２３１に形成させる。主制御部２１１は、画像形成部２３１により形成されたＡスキャン画像データのデータセット群に基づいてＢスキャン画像（図６の断層像ＩＭＧ１）を表示部２４０Ａに表示させることが可能である。
【０１６０】
以上で、眼科装置１の動作は終了である（エンド）。
【０１６１】
＜変形例＞
上記の実施形態において、光スキャナー４２が第１ガルバノスキャナーと第２ガルバノスキャナーとを含む場合に、記憶部２１２は、ガルバノスキャナー毎に補正データを記憶してもよい。以下では、実施形態の変形例に係る眼科装置の構成について、実施形態に係る眼科装置１の構成との相違点を中心に説明する。
【０１６２】
図１７に、実施形態の変形例に係る眼科装置の構成例のブロック図を示す。図１７において、図３と同様の部分には同一符号を付し、適宜説明を省略する。
【０１６３】
実施形態の変形例に係る眼科装置の構成が、図３に示す実施形態に係る眼科装置１の構成と異なる点は、記憶部２１２に記憶される補正データ２１２Ａである。補正データ２１２Ａは、第１補正データ２１２１と、第２補正データ２１２２とを含む。
【０１６４】
第１補正データ２１２１は、第１ガルバノスキャナーの偏向角度対時間特性（動作特性）に対応した補正データである。第２補正データ２１２２は、第２ガルバノスキャナーの偏向角度対時間特性（動作特性）に対応した補正データである。補正部２３２は、第１補正データ２１２１に基づくデータセット群の少なくとも一部に対する補正処理、及び第２補正データ２１２２に基づくデータセット群の少なくとも一部に対する補正処理のいずれかを切り替えて実行可能である。
【０１６５】
ＯＣＴ計測では、種々の走査態様で計測部位が走査される。走査領域や走査パターンによって偏向角度範囲や偏向速度が異なるため、スキャン条件に応じて第１ガルバノスキャナー及び第２ガルバノスキャナーの一方が高速で動作し、他方が低速で動作するように制御される。本変形例によれば、スキャン条件に応じて、第１ガルバノスキャナー及び第２ガルバノスキャナーのいずれか一方の非線形動作に対してデータセット群を補正することができるため、種々の走査態様において偏向速度の高速化に対応することが可能になる。
【０１６６】
なお、上記の実施形態又は変形例では、光スキャナー４２は、ガルバノスキャナーにより構成される場合について説明したが、実施形態又はその変形例に係る構成はこれに限定されるものではない。例えば、光スキャナー４２は、レゾナントミラーにより構成されていてもよい。
【０１６７】
［効果］
実施形態に係る眼科装置、及びその制御方法について説明する。
【０１６８】
いくつかの実施形態に係る眼科装置（１）は、データ取得部（ＯＣＴユニット１００に含まれる干渉光学系から対物レンズ２２に至る経路における光学系、又はこれら光学系と画像形成部２３１）と、記憶部（２１２）と、補正部（２３２）とを含む。データ取得部は、所定の偏向角度範囲で光を偏向可能な光スキャナー（４２）を含み、光スキャナーにより所定の偏向方向に偏向される測定光（ＬＳ）を用いて被検眼（Ｅ）に対して光コヒーレンストモグラフィを実行することによりＡスキャン方向の第１データセット群を取得する。記憶部は、光スキャナーの動作特性（偏向角度対時間特性）に対応した補正データ（２１２Ａ）を記憶する。補正部は、記憶部に記憶された補正データに基づいて第１データセット群の少なくとも一部を補正することにより第２データセット群を生成する。
【０１６９】
このような構成によれば、光スキャナーを用いたＯＣＴを実行することにより取得された複数のＡスキャン方向の第１データセット群の少なくとも一部を、光スキャナーの動作特性に対応した補正データに基づいて補正することにより第２データセット群を生成するようにしたので、光スキャナーの動作特性を考慮したＡスキャン方向のデータセット群を取得することが可能になる。例えば、光スキャナーの非線形動作によって偏在した走査位置において取得されたデータセット群から、均一に配置された走査位置におけるデータセット群を生成することが可能になる。また、例えば、光スキャナーの線形動作によって取得されたデータセット群から、所望の部位だけ高密度で取得されたデータセット群を生成することが可能になる。それにより、光スキャナーの非線形動作範囲の一部を用いることができるようになるので、光スキャナーの偏向速度の高速化に対応することが可能になり、広角で高精度にＯＣＴ計測を行うことができるようになる。
【０１７０】
いくつかの実施形態に係る眼科装置では、補正部は、第１データセット群が光スキャナーにより偏向角度範囲において略等間隔の偏向角度で偏向された測定光に基づいて取得されたデータセット群になるように、第１データセット群のうち偏向角度範囲の少なくとも一部の範囲に対応する１以上のデータセットを補正データに基づいて補正する。
【０１７１】
このような構成によれば、光スキャナーの非線形動作によって偏在した走査位置において取得されたデータセット群から、均一に配置された走査位置におけるデータセット群を生成することが可能になる。それにより、光スキャナーの偏向速度（走査周波数）を高速化した場合でも非線形動作範囲を用いて画像化することが可能になるので、偏向速度の高速化に対応することができるようになる。
【０１７２】
いくつかの実施形態に係る眼科装置では、光スキャナーは、測定光を反射するミラーを含み、ミラーを偏向方向に対応する揺動方向に往復的に揺動することにより偏向角度範囲で測定光を偏向し、偏向角度範囲の少なくとも一部の範囲は、揺動方向へのミラーの揺動を開始する第１偏向角度（ｒｓ）又は揺動方向へのミラーの揺動を終了する第２偏向角度（ｒｅ）を含む。
【０１７３】
このような構成によれば、ガルバノスキャナー等の光スキャナーの非線形動作範囲を用いて画像化することが可能になるので、偏向速度の高速化に対応することができるようになる。
【０１７４】
いくつかの実施形態に係る眼科装置では、補正部は、第１データセット群の少なくとも一部から１以上のデータセットを抽出する抽出部（２３２Ａ）を含み、第１データセット群の少なくとも一部を１以上のデータセットに置き換える。
【０１７５】
このような構成によれば、データセット群に対する簡素な抽出処理で光スキャナーの非線形動作範囲を用いて画像化することが可能になるので、偏向速度の高速化に対応することができるようになる。
【０１７６】
いくつかの実施形態に係る眼科装置では、補正部は、第１データセット群の少なくとも一部を補間して補間データセットを算出する補間部（２３２Ｂ）を含み、第１データセット群の少なくとも一部を補間部により算出された補間データセットに置き換える。
【０１７７】
このような構成によれば、データセット群に対する簡素な補間処理で光スキャナーの非線形動作範囲を用いて画像化することが可能になるので、偏向速度の高速化に対応することができるようになる。
【０１７８】
いくつかの実施形態に係る眼科装置では、補正部は、第１データセット群の少なくとも一部をＡスキャン方向に位置合わせする位置合わせ部（２３２Ｃ）と、位置合わせ部により位置合わせが行われた第１データセット群の少なくとも一部を補間して補間データセットを算出する補間部（２３２Ｄ）と、を含み、第１データセット群の少なくとも一部を補間部により算出された補間データセットに置き換える。
【０１７９】
このような構成によれば、データセット群に対する簡素な位置合わせ処理と補間処理で光スキャナーの非線形動作範囲を用いて画像化することが可能になるので、偏向速度の高速化に対応することができるようになる。
【０１８０】
いくつかの実施形態に係る眼科装置では、補正部は、第１データセット群に新たなデータセットを追加する。
【０１８１】
このような構成によれば、データセット群に対する簡素な追加処理で光スキャナーの非線形動作範囲を用いて画像化することが可能になるので、偏向速度の高速化に対応することができるようになる。
【０１８２】
いくつかの実施形態に係る眼科装置では、新たなデータセットは、第１データセット群の少なくとも一部に基づいて生成される。
【０１８３】
このような構成によれば、第１データセット群の少なくとも一部に基づいて新たなデータセットを求め、求められた新たなデータセットを追加するようにしたので、簡素な処理でデータセット群に対する追加処理を実行することができる。
【０１８４】
いくつかの実施形態に係る眼科装置では、光スキャナーは、測定光を第１偏向方向に第１偏向角度範囲で偏向する第１スキャナー（第１ガルバノスキャナー）と、第１スキャナーにより偏向された測定光を第２偏向方向に第２偏向角度範囲で被検眼に向けて偏向する第２スキャナー（第２ガルバノスキャナー）と、を含み、補正部は、第１スキャナーの動作特性に対応した第１補正データ（２１２１）に基づく第１データセット群の少なくとも一部に対する補正処理、及び第２スキャナーの動作特性に対応した第２補正データ（２１２２）に基づく第１データセット群の少なくとも一部に対する補正処理のいずれかを切り替えて実行可能である。
【０１８５】
このような構成によれば、スキャン条件に応じて第１スキャナー及び第２スキャナーのいずれか一方の非線形動作に対してデータセット群を補正することができるため、種々の走査態様で実行されるＯＣＴ計測における偏向速度の高速化に対応することが可能になる。
【０１８６】
いくつかの実施形態に係る眼科装置では、記憶部は、光スキャナーの偏向角度範囲及び偏向速度の少なくとも１つが異なる複数のスキャン条件に対応した複数の補正データを記憶し、補正部は、スキャン条件に対応して記憶部に記憶された補正データに基づいて第１データセット群の少なくとも一部を補正する。
【０１８７】
このような構成によれば、スキャン条件に対応した補正データに基づいて第１データセット群の少なくとも一部を補正することにより第２データセット群を生成することができるので、スキャン条件が異なる場合でも光スキャナーの動作特性を考慮したデータセット群を取得することが可能になる。
【０１８８】
いくつかの実施形態に係る眼科装置は、補正部により生成された第２データセット群に基づいて被検眼の断層像を形成する画像形成部（２３１）を含む。
【０１８９】
このような構成によれば、Ａスキャン方向の反射強度プロファイルデータのデータセット群を光スキャナーの動作特性に応じて補正することにより新たなデータセット群を生成することができる。
【０１９０】
いくつかの実施形態は、所定の偏向角度範囲で光を偏向可能な光スキャナー（４２）を含む眼科装置（１）の制御方法である。眼科装置の制御方法は、データ取得ステップと、補正ステップとを含む。データ取得ステップは、光スキャナーにより所定の偏向方向に偏向される測定光（ＬＳ）を用いて被検眼（Ｅ）に対して光コヒーレンストモグラフィを実行することによりＡスキャン方向の第１データセット群を取得する。補正ステップは、光スキャナーの動作特性（偏向角度対時間特性）に対応した補正データ（２１２Ａ）に基づいて第１データセット群の少なくとも一部を補正することにより第２データセット群を生成する。
【０１９１】
このような方法によれば、光スキャナーを用いたＯＣＴを実行することにより取得された複数のＡスキャン方向の第１データセット群の少なくとも一部を、光スキャナーの動作特性に対応した補正データに基づいて補正することにより第２データセット群を生成するようにしたので、光スキャナーの動作特性を考慮したＡスキャン方向のデータセット群を取得することが可能になる。例えば、光スキャナーの非線形動作によって偏在した走査位置において取得されたデータセット群から、均一に配置された走査位置におけるデータセット群を生成することが可能になる。また、例えば、光スキャナーの線形動作によって取得されたデータセット群から、所望の部位だけ高密度で取得されたデータセット群を生成することが可能になる。それにより、光スキャナーの非線形動作範囲の一部を用いることができるようになるので、光スキャナーの偏向速度の高速化に対応することが可能になり、広角で高精度にＯＣＴ計測を行うことができるようになる。
【０１９２】
いくつかの実施形態に係る眼科装置の制御方法では、補正ステップは、第１データセット群が光スキャナーにより偏向角度範囲において略等間隔の偏向角度で偏向された測定光に基づいて取得されたデータセット群になるように、第１データセット群のうち偏向角度範囲の少なくとも一部の範囲に対応する１以上のデータセットを補正データに基づいて補正する。
【０１９３】
このような方法によれば、光スキャナーの非線形動作によって偏在した走査位置において取得されたデータセット群から、均一に配置された走査位置におけるデータセット群を生成することが可能になる。それにより、光スキャナーの偏向速度（走査周波数）を高速化した場合でも非線形動作範囲を用いて画像化することが可能になるので、偏向速度の高速化に対応することができるようになる。
【０１９４】
いくつかの実施形態に係る眼科装置の制御方法では、光スキャナーは、測定光を反射するミラーを含み、ミラーを偏向方向に対応する揺動方向に往復的に揺動することにより偏向角度範囲で測定光を偏向し、偏向角度範囲の少なくとも一部の範囲は、揺動方向へのミラーの揺動を開始する第１偏向角度（ｒｓ）又は揺動方向へのミラーの揺動を終了する第２偏向角度（ｒｅ）を含む。
【０１９５】
このような方法によれば、ガルバノスキャナー等の光スキャナーの非線形動作範囲を用いて画像化することが可能になるので、偏向速度の高速化に対応することができるようになる。
【０１９６】
いくつかの実施形態に係る眼科装置の制御方法では、光スキャナーは、測定光を第１偏向方向に第１偏向角度範囲で偏向する第１スキャナー（第１ガルバノスキャナー）と、第１スキャナーにより偏向された測定光を第２偏向方向に第２偏向角度範囲で被検眼に向けて偏向する第２スキャナー（第２ガルバノスキャナー）と、を含み、補正ステップは、第１スキャナーの動作特性に対応した第１補正データ（２１２１）に基づく第１データセット群の少なくとも一部に対する補正処理、及び第２スキャナーの動作特性に対応した第２補正データ（２１２２）に基づく第１データセット群の少なくとも一部に対する補正処理のいずれかを切り替えて実行可能である。
【０１９７】
このような方法によれば、スキャン条件に応じて第１スキャナー及び第２スキャナーのいずれか一方の非線形動作に対してデータセット群を補正することができるため、種々の走査態様で実行されるＯＣＴ計測における偏向速度の高速化に対応することが可能になる。
【０１９８】
いくつかの実施形態に係る眼科装置の制御方法は、補正ステップにおいて生成された第２データセット群に基づいて被検眼の断層像を形成する画像形成ステップを含む。
【０１９９】
このような方法によれば、Ａスキャン方向の反射強度プロファイルデータのデータセット群を光スキャナーの動作特性に応じて補正することにより新たなデータセット群を生成することができる。
【０２００】
＜その他＞
以上に示された実施形態又はその変形例は、この発明を実施するための一例に過ぎない。この発明を実施しようとする者は、この発明の要旨の範囲内において任意の変形、省略、追加等を施すことが可能である。
【０２０１】
いくつかの実施形態では、上記の眼科装置の制御方法をコンピュータに実行させるためのプログラムが提供される。このようなプログラムを、コンピュータによって読み取り可能な任意の記録媒体に記憶させることができる。この記録媒体としては、たとえば、半導体メモリ、光ディスク、光磁気ディスク（ＣＤ−ＲＯＭ／ＤＶＤ−ＲＡＭ／ＤＶＤ−ＲＯＭ／ＭＯ等）、磁気記憶媒体（ハードディスク／フロッピー（登録商標）ディスク／ＺＩＰ等）などを用いることが可能である。また、インターネットやＬＡＮ等のネットワークを通じてこのプログラムを送受信することも可能である。
【符号の説明】
【０２０２】
１  眼科装置
２  眼底カメラユニット
４２  光スキャナー
１００  ＯＣＴユニット
２００  演算制御ユニット
２１０  制御部
２１１  主制御部
２１２  記憶部
２１２Ａ  補正データ
２３０  データ処理部
２３１  画像形成部
２３２  補正部
Ｅ  被検眼
ＬＳ  測定光
【図１】
2020048772.tif 000003
【図２】
2020048772.tif 000004
【図３】
2020048772.tif 000005
【図４】
2020048772.tif 000006
【図５】
2020048772.tif 000007
【図６】
2020048772.tif 000008
【図７】
2020048772.tif 000009
【図８】
2020048772.tif 000010
【図９】
2020048772.tif 000011
【図１０】
2020048772.tif 000012
【図１１】
2020048772.tif 000013
【図１２】
2020048772.tif 000014
【図１３】
2020048772.tif 000015
【図１４】
2020048772.tif 000016
【図１５】
2020048772.tif 000017
【図１６】
2020048772.tif 000018
【図１７】
2020048772.tif 000019